(57)【要約】【課題】  リーダー／ライターと、ＲＦＩＤタグと、該ＲＦＩＤタグに接続されたアナログ機器又はデジタル機器及び外部機器間において、相互方向にデータ伝送を行うことができる、マルチインターフェースポート付きバッテリーレス型ＲＦＩＤタグを得る。【解決手段】  ＲＦＩＤチップ内に、アナログ信号入力／出力手段からなるアナログインターフェースポートと、デジタル信号入力／信号手段からなるデジタルインターフェースポートと、シリアル通信手段からなるシリアル通信ポートの何れかを２つ以上内蔵し、前記各手段にＲＦＩＤチップ内より得られるクロックと同期させて制御を行うためのロジック回路と、データ又は／及びプログラムを蓄積するための不揮発性メモリを接続して構成し、リーダー／ライターからのコマンドにより前記各ポート間において相互方向にデータ伝送を行う。【選択図】        図１
2007049418.tif 000002
【特許請求の範囲】
【請求項１】
ＲＦＩＤタグをアンテナと共に構成するＲＦＩＤチップ内に、外部アナログ機器とアナログ信号伝送を行うためのアナログ信号入力手段又はアナログ信号出力手段からなるアナログインターフェースポートと、外部デジタル機器とデジタル信号伝送を行うためのデジタル信号入力手段又はデジタル信号出力手段からなるデジタルインターフェースポートと、シリアル通信ポートを有した外部機器とシリアル通信を行うためのシリアル通信手段からなるシリアル通信ポートの何れかを２つ以上内蔵し、前記アナログ信号入力手段又はアナログ信号出力手段若しくはデジタル信号入力手段又はデジタル信号出力手段とシリアル通信手段に、ＲＦＩＤチップ内より得られるクロックと同期して動作制御を行うためのロジック回路と、データ又は／及びプログラムを蓄積するための不揮発性メモリ等を接続し、前記各手段の機能制御及び伝送制御を行うことを特徴とした、マルチインターフェースポート付きバッテリーレス型ＲＦＩＤタグ。
【請求項２】
リーダー／ライターと、ＲＦＩＤタグと、該ＲＦＩＤタグのアナログインターフェースポートに接続された外部アナログ機器又はデジタルインターフェースポートに接続された外部デジタル機器又はシリアル通信ポートに接続された外部機器の相互間において、前記リーダー／ライターの指令により相互方向にデータ伝送が行えることを特徴とした、請求項１に記載のマルチインターフェースポート付きバッテリーレス型ＲＦＩＤタグ。
【請求項３】
ＲＦＩＤチップ内のシリアル通信ポートと外部機器のシリアル通信ポートとを接続し、リーダー／ライターよりパッチプログラム書込みコマンド及びパッチプログラムデータをＲＦＩＤタグに送信することにより、該ＲＦＩＤタグは当該コマンドに従ってリーダー／ライターより前記パッチプログラムデータを読込むと共にＲＦＩＤチップ内の不揮発性メモリに一旦蓄積した後、該パッチプログラムデータを読み出して外部機器のＣＰＵに接続されたメモリに書込むことによりパッチプログラムの転送が行えることを特徴とした、請求項１及び請求項２に記載のマルチインターフェースポート付きバッテリーレス型ＲＦＩＤタグ。
【請求項４】
ＲＦＩＤチップ内のシリアル通信ポートとパッチプログラム転送先の外部機器のシリアル通信ポートとを接続し、さらにＲＦＩＤチップ内の別のシリアル通信ポートとパッチプログラム転送元の外部機器のシリアル通信ポートと接続し、リーダー／ライターよりパッチプログラム書込みコマンドをＲＦＩＤタグに送信することにより、該ＲＦＩＤタグは当該コマンドに従ってパッチプログラム転送元の外部機器のＣＰＵに接続されたメモリに予め蓄積されたパッチプログラムデータを読込むと共にＲＦＩＤチップ内の不揮発性メモリに一旦蓄積した後、該パッチプログラムデータを読み出してパッチプログラム転送先の外部機器のＣＰＵに接続されたメモリに書込むことによりパッチプログラムの転送が行えることを特徴とした、請求項１及び請求項２に記載のマルチインターフェースポート付きバッテリーレス型ＲＦＩＤタグ。
【発明の詳細な説明】
【技術分野】
【０００１】
本発明は、ＲＦＩＤ（Radio Frequency Identification）タグシステムにおいて、質問器と称されるリーダー／ライターと、応答器と称されるＲＦＩＤタグと、該ＲＦＩＤタグのインターフェースポートに接続されるアナログ機器又はデジタル機器及びシリアル通信ポートを有した外部機器間において、相互方向にデータ伝送を行うことができる、マルチインターフェースポート付きバッテリーレス型ＲＦＩＤタグに関するものである。
【背景技術】
【０００２】
近年、物品のＩＤ識別による自動認識は、多くのサービス業，製造業，販売業，流通業及び物流などの分野で広範囲に普及している。該ＩＤ識別の手段として、従来からバーコードシステムが一般的であるが、情報の記憶容量が低いことや書換えができないことなどにより、非接触方式にて多くの情報の読み書きが行えるＲＦＩＤタグが普及しつつある。該ＲＦＩＤタグは、バーコードとの置換えを目的した場合、機能を単純化して形状を小型化すると共に製造コストを下げることが重要となる。
【０００３】
しかし、バッテリーレスにて無線通信が行える特徴を活かして応用範囲の拡大を目的とした場合、機能の単純化による小型化及び製造コスト低減よりもアプリケーションに適合したインターフェース回路及び電源回路の効率化が重要となる。本願出願人は、以前より前記アプリケーションに適合したＲＦＩＤチップの研究開発を行ってきた。例えば、特願２００５−００３２７１号の「センサ入力機能付きバッテリーレス型ＲＦＩＤセンサ」ではＲＦＩＤチップにアナログ信号を入力するためのＡ／Ｄ変換回路と不揮発性メモリ及び制御用ロジック回路を付加したＲＦＩＤタグを用いて生体情報や計測情報等の取得管理が行えるシステムを提案し、特願２００５−０１８５０６号の「ＲＦＩＤタグ内蔵型電子式電力量計」ではＲＦＩＤチップにデジタル信号を入力するための入力インターフェース回路と不揮発性メモリ及び制御用ロジック回路を付加したＲＦＩＤタグを用いて電力量の遠隔検針や付加サービスが行えるシステムを提案し、特願２００５−０５８４４０号の「非接触式プリント基板検査システム」ではＲＦＩＤチップにシリアル通信を行うための通信インターフェース回路と不揮発性メモリ及び制御用ロジック回路を付加したＲＦＩＤタグを用いて非接触にてプリント基板の検査が行えるシステムを提案した。
【０００４】
【特許文献１】特願２００５−００３２７１
【特許文献２】特願２００５−０１８５０６
【特許文献３】特願２００５−０５８４４０
【発明の開示】
【発明が解決しようとする課題】
【０００５】
しかしながら、上記特願２００５−００３２７１号におけるＲＦＩＤタグは、センサから出力されたアナログ信号をＡ／Ｄ変換回路にてデジタル値に変換してリーダー／ライターに当該データを送信する１系統の通信機能しかなく、上記特願２００５−０１８５０６号におけるＲＦＩＤタグは、電子式電力量計から出力されたＢＣＤコード等のデジタル信号を入力インターフェース回路にて読み取りリーダー／ライターに当該データを送信する１系統の通信機能しかなく、上記特願２００５−０５８４４０号におけるＲＦＩＤタグは、外部機器のプリント基板に搭載されたＣＰＵのシリアル通信ポートと当該ＲＦＩＤタグの通信インターフェース回路とをシリアル信号線で接続して外部機器とデータ通信を行う１系等の通信機能しかないため、汎用性がなくＲＦＩＤタグの応用範囲が限定されてしまうといった問題点があった。このため、複数のアナログ信号の入出力やデジタル信号の入出力が行えると共に他の外部機器とも相互にデータ伝送が行える汎用性のあるＲＦＩＤタグの開発が要求されていた。
【０００６】
本発明は、以上述べたような問題点の解決及び要求に応えるために成されたものであり、リーダー／ライターと、ＲＦＩＤタグと、該ＲＦＩＤタグのインターフェースポートに接続されたアナログ機器又はデジタル機器又はシリアル通信ポートを有した外部機器間において、相互方向にデータ伝送を行うことができる、マルチインターフェースポート付きバッテリーレス型ＲＦＩＤタグを提供することを目的とする。
【０００７】
なお、上記アナログ機器とはアナログ信号を入力することによりその信号レベルに応じた動作をしたり、要因の変化量に応じたアナログ信号を出力する機器、例えばアナログ型のセンサなど関連する全ての機器やセンサ類を指し、デジタル機器とはデジタル信号を入力することによりそのデータの値や内容に応じた動作をしたり、要因の変化量や内容に応じたデジタル信号を出力する機器、例えばデジタル型のセンサなど関連する全ての機器やセンサ類を指すものとする。
【課題を解決するための手段】
【０００８】
上記課題を解決するため、本発明のマルチインターフェースポート付きバッテリーレス型ＲＦＩＤタグにおいては、該ＲＦＩＤタグをアンテナと共に構成するＲＦＩＤチップ内に、外部アナログ機器とアナログ信号伝送を行うためのアナログ信号入力手段又はアナログ信号出力手段からなるアナログインターフェースポートと、外部デジタル機器とデジタル信号伝送を行うためのデジタル信号入力手段又はデジタル信号出力手段からなるデジタルインターフェースポートと、シリアル通信ポートを有した外部機器とシリアル通信を行うためのシリアル通信手段からなるシリアル通信ポートの何れかを２つ以上内蔵し、前記アナログ信号入力手段又はアナログ信号出力手段若しくはデジタル信号入力手段又はデジタル信号出力手段とシリアル通信手段に、ＲＦＩＤチップ内より得られるクロックと同期して制御を行うためのロジック回路と、データ又は／及びプログラムを蓄積するための不揮発性メモリ等を接続し、前記各手段の機能制御及び伝送制御を行う。
【発明の効果】
【０００９】
本発明のマルチインターフェースポート付きバッテリーレス型ＲＦＩＤタグを使用すれば、リーダー／ライターと、ＲＦＩＤタグと、該ＲＦＩＤタグのアナログインターフェースポートに接続された外部アナログ機器又はデジタルインターフェースポートに接続された外部デジタル機器又はシリアル通信ポートに接続された外部機器の相互間において、前記リーダー／ライターの指令により相互方向にデータ伝送が行えることになる。このため、汎用性が向上してＲＦＩＤタグの応用範囲が広がり、多くの産業分野においてマルチインターフェースポートを活用してのＲＦＩＤタグシステムの普及が可能になるという絶大なる効果を奏することができる。
【発明を実施するための最良の形態】
【００１０】
本発明を実施するための最良の形態を図を用いて説明する。
【００１１】
図１は本発明のマルチインターフェースポート付きバッテリーレス型ＲＦＩＤタグの一実施例におけるシステム構成図であり、インターフェースポートとしてアナログインターフェースポート及びシリアル通信ポートを有したＲＦＩＤタグの例を示している。ここで、該ＲＦＩＤタグ１は、ＲＦＩＤチップ２及びアンテナ３にて構成する。該アンテナ３はリーダー／ライターと電磁界又は電磁波による無線通信を行うため、ＲＦＩＤチップ２内又は一部ＲＦＩＤチップ２外の同調キャパシタ（図示せず）から成る同調回路４に接続し、本発明のマルチインターフェースポート付きバッテリーレス型ＲＦＩＤタグを使用したシステムで使用するキャリア周波数、例えば１３．５６ＭＨｚや９５３ＭＨｚ又は２．４５ＧＨｚ等に同調させて共振回路を構成する。なお、該アンテナ３は一般的にはループアンテナであり、該ループアンテナの導線には相互インダクタンスが大きく取れる高効率なアンテナ素材を使用するのが好適である。
【００１２】
上記同調回路４の後段には、リーダー／ライターのアンテナから出力された電磁界又は電磁波が当該ＲＦＩＤタグ１のアンテナ３を通過した時に発生する誘導起電力の電圧波形を検波したり、該誘導起電力を半波又は全波整流して直流電圧を取り出すための整流回路５を接続する。該整流回路５で使用するダイオード（図示せず）は順方向電圧降下の低いもの、例えばショットキバリアダイオードが好適である。
【００１３】
次に、上記整流回路５の後段には、検波したキャリアを分周してシステム用のクロックを生成するためのクロック生成回路６と、信号受信時においてキャリアから信号を取り出す復調動作を行ったり信号送信時においてスイッチング素子（図示せず）により変調動作を行うための変復調回路７と、上記直流電圧を安定化して回路電源を供給したり、充電用コンデンサ９に充電電圧を供給するための電源回路８を接続する。該充電用コンデンサ９は一般的にはセラミックコンデンサであり、電力を必要とする場合には電気二重層コンデンサが好適であるが、特に限定するものではない。
【００１４】
次に、上記変復調回路７の後段には、該変復調回路７の制御や不揮発性メモリであるＳｉＲＡＭ（Sensor Interface RAM：センサが必要とする処理単位にてアクセス可能なメモリで、本願出願人による商標）１１に対する当該ＲＦＩＤチップ２の固有ＩＤ情報やデータ等の書込み又は読出し制御及びアナログインターフェースポートとしてのＡ／Ｄ変換回路１２やシリアル通信ポートとしての通信インターフェース回路１３の制御を行うためのロジック回路１０を接続する。
【００１５】
図２は図１におけるＡ／Ｄ変換回路１２の詳細図であり、センサ１６から出力されるアナログ信号をアナログ入力回路１４に入力してレベル変換した後、高速Ａ／Ｄ変換を行うため、独立したＡ／Ｄコンバータ１５に接続する。前記アナログ入力回路１４は入力電圧を適正レベルにスケーリングするためのＯＰアンプや抵抗で構成され、Ａ／Ｄコンバータ１５はリーダー／ライターからの指令により任意の分解能に設定してＡ／Ｄ変換した後、データ出力をＳｉＲＡＭ１１の特定アドレスにパラレル接続すると共にクロックに同期してダイレクト書込みを行うものである。該方式によれば、ＳｉＲＡＭ１１本来の高速動作と相まって、更なるデータの高速書込み又は高速読出しが可能となるが、アナログマルチプレクサにより入力信号を選択して１個のＡ／Ｄコンバータ１５でＡ／Ｄ変換を行う一般的なサンプリング方式であっても構わない。また、該図において入力数は３チャンネルで示したが、特に限定するものではない。
【００１６】
図３は図１における通信インターフェース回路１３の詳細図であり、シリアル通信としてＳＩＯ（Serial Input/Output）とクロック（ＣＬＫ）の２つの信号線を用いる。該ＳＩＯ信号はバッファ回路１７内にて入力バッファと出力バッファをセレクト１信号にて切替え選択し、出力データ及び入力データをＳｉＲＡＭ１１及びロジック回路１０に接続すると共に前記クロックに同期して書込み又は読出しを行うものである。また、クロック信号はバッファ回路１７内にて入力バッファと出力バッファをセレクト２信号にて切替え選択し、クロック出力及びクロック入力をＳｉＲＡＭ１１及びロジック回路１０に接続して同期制御を行うものである。また、ＲＦＩＤタグ１と外部機器との通信の実行を制御するため、整流回路５からの検波信号と外部機器の電圧信号をレギュレーター１８に入力し、一定の閾値電圧以上になった場合にのみ通信の実行を許可する。
【００１７】
上記ＳｉＲＡＭ１１は強誘電体型の不揮発性メモリであり、回路電源がＯＦＦになっても当該ＲＦＩＤチップ２の固有ＩＤ情報やデータ等は消失することはない。また、データの書込み電圧は、ＥＥＰＲＯＭやフラッシュメモリのように高圧に昇圧する必要がないため、昇圧回路が簡略化される。また、書込み又は読出し速度はＤＲＡＭと同等であり、ＥＥＰＲＯＭやフラッシュメモリよりはるかに高速であるという特徴を持つものである。このように、不揮発性メモリとしてはＳｉＲＡＭ１１が好適であるが、データ変換に高速処理を必要としない場合、例えばＡ／Ｄ変換回路１２としてアナログマルチプレクサを使用した一般的なサンプリング方式の場合、ＳｉＲＡＭ１１に代えてＦＲＡＭ（Ferroelectric RAM：米国Ramtron社の登録商標）や他のメモリを使用しても構わない。
【００１８】
なお、上記図１で示したシステム構成図及び図２，図３で示した回路図はこれに限定するものではなく、同等の機能及び動作を有するものは本発明の範疇に包含されるものである。
【実施例】
【００１９】
本発明の実施例を図を用いて説明する。
【００２０】
図４は本発明のマルチインターフェースポート付きバッテリーレス型ＲＦＩＤタグの一実施例におけるデータ伝送方向を示す図であり、ＲＦＩＤチップ２内のＲＦＩＤ部２２に、アナログインターフェースポートとして図２に示したＡ／Ｄ変換回路１２と、シリアル通信ポートとして図３に示した通信インターフェース回路１３を内蔵したＲＦＩＤタグ１のデータ伝送方向を示している。なお、前記ＲＦＩＤ部２２とは、ＲＦＩＤチップ２においてアナログインターフェースポート又はデジタルインターフェースポート及びシリアル通信ポートを除いた部分を指す。
【００２１】
次に、上記ＲＦＩＤチップ２内のＡ／Ｄ変換回路１２にセンサ１６を接続し当該センサ１６から出力されるアナログ信号をＡ／Ｄ変換回路１２に入力し、さらに通信インターフェース回路１３に外部機器２３に搭載したＣＰＵ２４のシリアル通信ポートとＳＩＯ及びクロックのシリアル信号線及び当該外部機器２３の電圧信号（ＥＸＴ．Ｐ）を接続する。
【００２２】
また、ＲＦＩＤチップ２及びアンテナ３で構成されるＲＦＩＤタグ１において、該アンテナ３とリーダー／ライター１９に接続されたアンテナ２０とは電磁界又は電磁波２１により誘導結合して無線通信が行われる。
【００２３】
ここで、リーダー／ライター１９よりＲＦＩＤタグ１に接続されたセンサ１６のデータ値を読み取る場合、該リーダー／ライター１９よりＡ／Ｄ変換実行コマンドをＲＦＩＤタグ１に送信すると、ＲＦＩＤタグ１は当該コマンドに従いセンサ１６から出力されるアナログ信号をＡ／Ｄ変換して固有ＩＤ情報と共にリーダー／ライター１９に送信する。従って、該動作においては図４中の矢印〔１〕の方向にデータ伝送が行われる。
【００２４】
次に、リーダー／ライター１９よりＲＦＩＤタグ１に接続された外部機器２３のデータを読出す場合、該リーダー／ライター１９よりデータ読出しコマンドをＲＦＩＤタグ１に送信すると、ＲＦＩＤタグ１は当該コマンドに従い外部機器２３内のメモリ（図示せず）よりデータを読出して固有ＩＤ情報と共にリーダー／ライター１９に送信する。従って、該動作においては図４中の矢印〔２−１〕の方向にデータ伝送が行われる。
【００２５】
また、リーダー／ライター１９よりＲＦＩＤタグ１に接続された外部機器２３にデータを書込む場合、該リーダー／ライター１９よりデータ書込みコマンドをＲＦＩＤタグ１に送信すると、ＲＦＩＤタグ１は当該コマンドに従い外部機器２３内のメモリ（図示せず）にリーダー／ライター１９より受信したデータを書込む。従って、該動作においては図４中の矢印〔２−２〕の方向にデータ伝送が行われる。
【００２６】
次に、ＲＦＩＤタグ１に接続された外部機器２３より同じくＲＦＩＤタグ１に接続されたセンサ１６のデータを読み取る場合、該外部機器２３よりＡ／Ｄ変換実行コマンドをＲＦＩＤタグ１に送信すると、ＲＦＩＤタグ１は当該コマンドに従いセンサ１６から出力されるアナログ信号をＡ／Ｄ変換して固有ＩＤ情報と共に外部機器２３に送信する。従って、該動作においては図４中の実線矢印〔３−１〕の方向にデータ伝送が行われる。なお、前記動作は、リーダー／ライター１９よりＲＦＩＤタグ１に外部機器間データ伝送コマンドを送信することにより、図３で説明したレギュレーター１８による通信の実行の許可がある間に行う必要がある。
【００２７】
なお、Ａ／Ｄ変換回路１２に代えアナログ信号出力手段としてＤ／Ａ変換回路をＲＦＩＤチップ２に接続した場合、リーダー／ライター１９よりＤ／Ａ変換実行コマンドをＲＦＩＤタグ１に送信することにより、アナログ信号を外部アナログ機器に出力することが可能となる。従って、該動作においては図４中の点線矢印〔３−２〕の方向にデータ伝送が行われる。また、上記アナログ信号入力手段やアナログ信号出力手段に代えてデジタル信号入力手段やデジタル信号出力手段をＲＦＩＤチップ２に接続した場合でも、同様のデータ伝送が行える。
【００２８】
以上のようにして、ＲＦＩＤタグ１のアナログインターフェースポートに接続されたアナログ機器又はデジタルインターフェースポートに接続されたデジタル機器と、シリアル通信ポートに接続された外部機器２３と、リーダー／ライター１９間において相互方向にデータ伝送が行えることになる。
【００２９】
応用例として、外部機器２３に搭載したＣＰＵ２４の動作を変更するためのパッチプログラムを当該ＣＰＵ２４のシリアル通信ポートにより転送する例を説明する。図５は本発明のマルチインターフェースポート付きバッテリーレス型ＲＦＩＤタグによる外部機器の制御用パッチプログラムの転送方法を示す図である。
【００３０】
第一転送方法として、ＲＦＩＤチップ２の通信インターフェース回路１３に外部機器２３に搭載したＣＰＵ２４のシリアル通信ポートとＳＩＯ及びクロックのシリアル信号線及び当該外部機器２３の電圧信号（ＥＸＴ．Ｐ）を接続する。
【００３１】
ここで、リーダー／ライター１９よりパッチプログラム書込みコマンド及びパッチプログラムデータをＲＦＩＤタグ１に送信すると、該ＲＦＩＤタグ１は当該コマンドに従ってリーダー／ライター１９より前記パッチプログラムデータを読込むと共にＲＦＩＤチップ２内の不揮発性メモリに一旦蓄積する。その後、該パッチプログラムデータを読み出してシリアル通信により外部機器２３のＣＰＵ２４に接続されたメモリ（図示せず）に書込むことによりパッチプログラムの転送が行える。
【００３２】
また、確認のため、リーダー／ライター１９よりパッチプログラム確認コマンドをＲＦＩＤタグ１に送信すると、該ＲＦＩＤタグ１は当該コマンドに従って外部機器２３のＣＰＵ２４に接続されたメモリ（図示せず）より前記動作にて書込んだパッチプログラムデータを読出す。該パッチプログラムデータはさらにリーダー／ライター１９に送信され、先に送信したパッチプログラムデータとの比較を行うことにより確認が行える。
【００３３】
また、第二転送例として、ＲＦＩＤチップ２の通信インターフェース回路１３にパッチプログラム転送先の外部機器２３に搭載したＣＰＵ２４のシリアル通信ポートとＳＩＯ及びクロックのシリアル信号線及び外部機器２３の電圧信号（ＥＸＴ．Ｐ）を接続し、ＲＦＩＤチップ２の別の通信インターフェース回路１３ａにパッチプログラム転送元の外部機器２３ａに搭載したＣＰＵ２４ａのシリアル通信ポートとＳＩＯ及びクロックのシリアル信号線及び当該外部機器２３ａの電圧信号（ＥＸＴ．Ｐ）を接続する。
【００３４】
ここで、リーダー／ライター１９よりパッチプログラム書込みコマンドをＲＦＩＤタグ１に送信すると、該ＲＦＩＤタグ１は当該コマンドに従ってパッチプログラム転送元の外部機器２３ａのＣＰＵ２４ａに接続されたメモリ（図示せず）より予め蓄積されたパッチプログラムデータを読込むと共にＲＦＩＤチップ２内の不揮発性メモリに一旦蓄積する。その後、該パッチプログラムデータを読み出してシリアル通信によりパッチプログラム転送先の外部機器２３のＣＰＵ２４に接続されたメモリ（図示せず）に書込むことによりパッチプログラムの転送が行える。なお、確認方法は上記第一転送例と同様となる。
【００３５】
上記応用例は、従来のＲＦＩＤタグでは成し得ないことであり、本発明のマルチインターフェースポート付きバッテリーレス型ＲＦＩＤタグによる、リーダー／ライターと、ＲＦＩＤタグと、該ＲＦＩＤタグのインターフェースポートに接続されたアナログ機器又はデジタル機器又はシリアル通信ポートを有した外部機器間において、相互方向にデータ伝送を行うことができる機能をもって成しえることとなる。
【図面の簡単な説明】
【００３６】
【図１】本発明のマルチインターフェースポート付きバッテリーレス型ＲＦＩＤタグの一実施例におけるシステム構成図である。
【図２】図１におけるＡ／Ｄ変換回路の詳細図である。
【図３】図１における通信インターフェース回路の詳細図である。
【図４】本発明のマルチインターフェースポート付きバッテリーレス型ＲＦＩＤタグの一実施例におけるデータ伝送方向を示す図である。
【図５】本発明のマルチインターフェースポート付きバッテリーレス型ＲＦＩＤタグによる外部機器の制御用パッチプログラムの転送方法を示す図である。
【符号の説明】
【００３７】
１  ＲＦＩＤタグ
２  ＲＦＩＤチップ
３  アンテナ
４  同調回路
５  整流回路
６  クロック生成回路
７  変復調回路
８  電源回路
９  充電用コンデンサ
１０  ロジック回路
１１  ＦＲＡＭ
１２  Ａ／Ｄ変換回路
１３  通信インターフェース回路
１４  アナログ入力回路
１５  Ａ／Ｄコンバータ
１６  センサ
１７  バッファ回路
１８  レギュレーター
１９  リーダー／ライター
２０  アンテナ
２１  電磁界又は電磁波
２２  ＲＦＩＤ部
２３  外部機器
２４  ＣＰＵ
【図１】
2007049418.tif 000003
【図２】
2007049418.tif 000004
【図３】
2007049418.tif 000005
【図４】
2007049418.tif 000006
【図５】
2007049418.tif 000007